(57)【要約】      （修正有）【課題】小さな処理容量の携帯型電子装置でもダイジェストを再生可能にし、他装置との通信量を少なく抑える。【解決手段】携帯電話装置１は、コンテンツの録画予約情報を生成してサーバ２に送信し、また録画予約情報に従ってコンテンツを録画する。サーバ２は、受信した録画予約情報に従ってコンテンツを録画して解析を行い、コンテンツ内のダイジェストの時刻情報を示すダイジェスト情報を生成して携帯電話装置１に送信する。携帯電話装置１は、受信したダイジェスト情報に従ってダイジェストを再生する。【選択図】図３
2008092511.tif 000002
【特許請求の範囲】
【請求項１】
放送されたコンテンツを受信する受信手段と、
コンテンツの録画を予約するための録画予約情報を生成する録画予約情報生成手段と、
録画予約情報に従って、前記受信手段で受信したコンテンツを録画する録画手段と、
コンテンツをダイジェスト再生するためのダイジェスト情報を、外部装置から受信するダイジェスト情報受信手段と、
前記ダイジェスト情報受信手段で受信したダイジェスト情報に従って、録画手段で録画したコンテンツをダイジェスト再生する再生手段と、
を備えることを特徴とする携帯型電子装置。
【請求項２】
前記録画予約情報は、チャンネル情報、録画開始時刻情報、録画終了時刻情報、コンテンツ識別情報、を含み、
前記ダイジェスト情報は、再生開始タイミング情報、再生停止タイミング情報、コンテンツ識別情報、を含み、
ダイジェスト情報のコンテンツ識別情報と録画予約情報のコンテンツ識別情報が一致しているか否かを判別する判別手段をさらに備え、
前記再生手段は、前記判別手段が一致していると判別した場合に、該当するコンテンツの、再生開始タイミングと再生終了タイミングで特定される部分を再生する、
ことを特徴とする請求項１に記載の携帯型電子装置。
【請求項３】
前記録画手段が録画したコンテンツのうちの正常再生が可能な部分を検出し、正常再生が可能な部分の再生時刻を示す有効時間情報を生成する有効時間情報生成手段を備え、
前記再生手段は、前記有効時間情報生成手段が生成した有効時間情報と、前記ダイジェスト情報により再生対象とされている部分の再生時刻とを照合し、合致する部分を示す同期情報を生成し、同期情報に従って録画コンテンツを再生する、
ことを特徴とする請求項１又は２に記載の携帯型電子装置。
【請求項４】
前記受信手段は、地上デジタル放送におけるワンセグ、３セグ、又はフルセグによって情報発信されたコンテンツを受信する装置から構成される、ことを特徴とする請求項１乃至３のいずれか１項に記載の携帯型電子装置。
【請求項５】
コンテンツを受信する受信手段と、
前記受信手段が受信したコンテンツを解析して、コンテンツをダイジェスト再生するための再生部分を特定する情報を含むダイジェスト情報を生成するダイジェスト情報生成手段と、
前記ダイジェスト情報を、コンテンツを受信して再生する機能を備える電子装置に送信する送信手段と、
を備えることを特徴とするサーバ。
【請求項６】
前記受信手段が受信したコンテンツのうちの正常再生が可能な部分を検出し、正常再生が可能な部分の再生時刻を示す有効時間情報を生成する有効時間情報生成手段と、
前記ダイジェスト情報に該有効時間情報をマージする手段と、
を備える、ことを特徴とする請求項５に記載のサーバ。
【請求項７】
コンテンツの録画予約情報を外部の電子装置より受信する録画予約情報受信手段と、
録画予約情報受信手段で受信した録画予約情報に従ってコンテンツを録画する録画手段と、
を備え、
前記ダイジェスト情報生成手段は、前記録画手段が録画したコンテンツを解析してダイジェスト情報を生成し、
前記送信手段は、録画予約情報を送信して来た電子装置に、対応するダイジェスト情報を送信する、
ことを特徴とする請求項５又は６に記載のサーバ。
【請求項８】
前記受信手段は、地上デジタル放送におけるワンセグ、３セグ、又はフルセグによって情報発信されたコンテンツを受信する手段から構成される、ことを特徴とする請求項５乃至７のいずれか１項に記載のサーバ。
【請求項９】
請求項１乃至４のいずれか１項に記載の携帯型電子装置と、請求項５乃至８のいずれか１項に記載のサーバと、無線若しくは有線又はメディアによる通信システムと、から構成される、ことを特徴とするダイジェスト視聴システム。
【発明の詳細な説明】
【技術分野】
【０００１】
本発明は、コンテンツのダイジェストを再生する、携帯型電子装置、サーバ、ダイジェスト視聴システムに関する。
【背景技術】
【０００２】
コンテンツのダイジェストを視聴できる携帯型電子装置が特許文献１に開示されている。
この携帯型電子装置は、ダイジェストの映像、音声、字幕等の情報を記憶できるメモリの空き容量を判別して、判別したメモリ空き容量に応じたデータサイズのダイジェスト映像を生成する。
【０００３】
更に、特許文献１に開示されている携帯型電子装置は、他装置によって生成されたダイジェストを受信して、再生する機能も備える。
【特許文献１】特開２００５−０２０２８３号公報
【発明の開示】
【発明が解決しようとする課題】
【０００４】
特許文献１に開示されている携帯型電子装置が行うダイジェストを生成する処理は処理負荷が高い。このため、携帯型電子装置では処理能力が不十分であるおそれがある。
【０００５】
また、ダイジェストは画像情報・音声情報を含んでおり、そのデータ量が大きい。そのため、他装置からダイジェストを受信すると通信量が多くなってしまう。
【０００６】
同様の問題は、ダイジェスト視聴機能を備える種々の電子装置に共通する。
【０００７】
本発明は、比較的小さい容量の携帯型電子装置でもダイジェストを再生可能とすると共に、ダイジェストを再生するために他装置と行う通信の通信量を少なく抑えることを目的とする。
【課題を解決するための手段】
【０００８】
上記課題を解決するため、本発明における携帯型電子装置は、
放送されたコンテンツを受信する受信手段と、
コンテンツの録画を予約するための録画予約情報を生成する録画予約情報生成手段と、
録画予約情報に従って、前記受信手段で受信したコンテンツを録画する録画手段と、
コンテンツをダイジェスト再生するためのダイジェスト情報を、外部装置から受信するダイジェスト情報受信手段と、
前記受信手段で受信したダイジェスト情報に従って、録画手段で録画したコンテンツをダイジェスト再生する再生手段と、
を備えることを特徴とする。
【０００９】
また、上記課題を解決するため、本発明におけるサーバは、
コンテンツを受信する受信手段と、
前記受信手段が受信したコンテンツを解析して、コンテンツをダイジェスト再生するための再生部分を特定する情報を含むダイジェスト情報を生成するダイジェスト情報生成手段と、
前記ダイジェスト情報を、コンテンツを受信して再生する機能を備える電子装置に送信する送信手段と、
を備えることを特徴とする。
【発明の効果】
【００１０】
本発明によれば、携帯型電子装置はコンテンツの録画予約情報を生成してサーバに送信し、サーバはコンテンツを録画して、コンテンツ内のダイジェストの時刻情報を示すダイジェスト情報を生成して携帯型電子装置に送信し、携帯型電子装置はダイジェスト情報に従ってダイジェストを再生する仕組が実現できる。
【発明を実施するための最良の形態】
【００１１】
以下、図１乃至７を参照して、本発明の実施形態を説明する。
本実施形態は、携帯型電子装置として携帯電話装置１を適用する。また、本実施形態は、携帯電話装置１がコンテンツの録画予約情報Ｒｃをサーバ２に送信し、サーバ２はダイジェスト情報Ｄを生成して、携帯電話装置１に送り、携帯電話装置１がダイジェストを再生する例である。
【００１２】
図１に示す通り、携帯型電子装置を利用したダイジェスト視聴システムＤＳは、携帯電話装置１、サーバ２、移動体通信網３、信号発信源４、を備える。
【００１３】
この携帯電話装置１は、開かれた状態では、図２に示す外観のように、アンテナ１３Ａ、操作部１５、表示部１６、スピーカ１８、を備える。ユーザは、表示部１６に表示される映像とスピーカ１８から出力されるサウンドとにより、ダイジェストを視聴する。
【００１４】
また、携帯電話装置１は、図３に示す回路構成のように、制御部１１、記憶部１２、通信部１３、アンテナ１３Ａ、チューナ１４、アンテナ１４Ａ、操作部１５、表示部１６、ＤＡＣ（Digital Analog Converter）１７、スピーカ１８、バス１９、を備える。
【００１５】
制御部１１は、ＣＰＵ（Central Processing Unit)から構成され、記憶部１２に格納されている動作プログラムに応じて、携帯電話装置１の全体的な動作を制御する。
例えば、制御部１１は、i）ユーザが入力したコンテンツの録画予約に基づく録画予約情報の生成、ii）録画予約情報のサーバ２への送信、iii）コンテンツ識別情報に基づくコンテンツの同一性の判別、iv）同期情報Ｓの生成、v）同期情報Ｓに基づくダイジェストの再生、等を行う。
なお、制御部１１は、例示した本発明に特有の機能を処理するために、録画情報生成部１１Ａ、録画情報登録部１１Ｂ、通信制御部１１Ｃ、タイマ部１１Ｄ、録画部１１Ｅ、有効時間情報生成部１１Ｆ、コンテンツ判別部１１Ｇ、同期情報生成部１１Ｈ、再生部１１Ｉ、を備える。これらの各構成要素については、詳細な説明を後述する。
【００１６】
記憶部１２は、例えば、フラッシュメモリ等から構成され、プログラム領域とデータ領域を有する。プログラム領域には、後述する図６のフローチャートに示す処理を実現するためのプログラムが格納されている。
データ領域には、録画部１１Ｅによって録画されたコンテンツＣｃが記憶される。更に、データ領域には、i）録画情報生成部１１Ａが生成した録画予約情報Ｒｃをテーブル形式で保持する録画予約一覧ＴＢｃ、ii）有効時間情報生成部１１Ｆが生成した有効時間情報Ｅｃ、iii）サーバ２から受信するダイジェスト情報Ｄ、v）同期情報生成部１１Ｈが生成するした同期情報Ｓ、が記憶される。
【００１７】
通信部１３は、音声信号やデータを変調／復調する。また、通信部１３は、変調された音声信号やデータを、アンテナ１３Ａを通じることにより、移動体通信網３や図示しないインターネットを介して送受信する。
通信部１３は、通信制御部１１Ｃによって制御され、i）録画情報生成部１１Ａが生成した録画予約情報Ｒｃをサーバ２に送信したり、ii）サーバ２から送信されるダイジェスト情報Ｄ、を受信する。
【００１８】
チューナ１４は、アンテナ１４Ａを介して地上デジタル放送の電波信号を受信して復調し、復調信号を制御部１１に出力する。
【００１９】
操作部１５は、ユーザが指示やデータを入力するための各種のキー若しくはボタンを備える。操作部１５はタッチパネルであってもよい。
ユーザは、操作部１５を操作して、コンテンツの録画を予約したり、ダイジェストの視聴の開始・終了を指示する。
【００２０】
表示部１６は、ＬＣＤ（液晶表示）、ドライバ回路等で構成され、画像、文字情報、各種のメッセージ等を表示する。
ＤＡＣ１７は、制御部１１からのディジタルオーディオ信号をアナログオーディオ信号に変換して、スピーカ１８に出力する。
スピーカ１８は、ＤＡＣ１７から供給されたアナログオーディオ信号を放音し、ユーザがダイジェストを視聴するときの、ダイジェストの音声を出力する。
バス１９は、制御部１１、記憶部１２、通信部１３、表示部１６、ＤＡＣ１７の間で相互にデータを伝送する。
【００２１】
サーバ２は、図３に示す回路構成のように、制御部２１、記憶部２２、通信部２３、アンテナ２３Ａ、チューナ２４、アンテナ２４Ａ、バス２５、を備える。サーバ２は、テレビ、ＨＤＤレコーダ、セットトップボックス等の電子装置であってもよい。
【００２２】
制御部２１は、ＣＰＵから構成され、記憶部２２に格納されている動作プログラムに応じて、サーバ２の全体的な動作を制御する。
例えば、制御部２１は、i）コンテンツの録画予約情報の受信、ii）有効時間情報の生成、iii）ダイジェスト情報の生成、iv）ダイジェスト情報と有効時間情報のマージ、v）ダイジェスト情報の送信、等の処理を実行する。
なお、制御部２１は、本発明に特有の機能を処理するために、通信制御部２１Ａ、予約一覧登録部２１Ｂ、タイマ部２１Ｃ、録画部２１Ｄ、有効時間情報生成部２１Ｅ、ダイジェスト情報生成部２１Ｆ、を備える。制御部２１内の各構成要素については、詳細な説明を後述する。
【００２３】
記憶部２２は、大容量のハードディスクであり、録画部２１Ｄが録画したコンテンツＣｓ、ダイジェスト情報生成部２１Ｆが生成したダイジェスト情報Ｄ、を記憶する。記憶部２２は、フラッシュメモリ等から構成されていてもよい。
【００２４】
通信部２３は、アンテナ２３Ａを通じて、携帯電話装置１から送信された録画予約情報Ｒｃを受信したり、ダイジェスト情報Ｄを携帯電話装置１に送信する。
チューナ２４は、アンテナ２４Ａを介して地上デジタル放送の電波信号を受信して復調し、復調信号を制御部２１に出力する。
バス２５は、制御部２１、記憶部２２、通信部２３、チューナ２４の間で相互にデータを伝送する。
【００２５】
次に、携帯型電子装置１が録画予約情報を生成して、サーバ２に送信する動作について説明する。
先ず、制御部１１が備える各構成要素について、詳細に説明する。
【００２６】
録画情報生成部１１Ａは、操作部１５から入力されたコンテンツの録画予約の情報に基づき、録画予約情報Ｒｃを生成する。
録画情報登録部１１Ｂは、録画情報生成部１１Ａが生成した録画予約情報Ｒｃを、記憶部１２内の録画予約一覧ＴＢｃに書き込む。録画予約一覧ＴＢｃは、複数の録画予約情報Ｒｃを含むテーブルである。録画予約情報Ｒｃは、i）チャネル情報ＣＮ、ii）録画開始時刻ＴＲｓ、iii）録画終了時刻ＴＲｆ、iv）コンテンツ識別情報Ｉｃ、を含む。
チャネル情報ＣＮは、コンテンツが放送される情報発信源４を指定する識別情報であり、例えば、地上デジタル放送であれば０１１、０１２、インターネット放送であればＩＰアドレス等のＵＲＬ情報である。
録画開始時刻ＴＲｓは、コンテンツの録画を開始する時刻である。
録画終了時刻ＴＲｆは、コンテンツの録画を停止する時刻である。
コンテンツ識別情報Ｉｃは、コンテンツを識別するための識別子である。
【００２７】
通信制御部１１Ｃは、通信部１３を制御する。録画情報生成部１１Ａが生成した録画予約情報Ｒｃを、通信部１２を制御してサーバ２に送信する。
タイマ部１１Ｄは、ある時刻からの経過時間を計時して、経過時間が所定の時間に達したときにその旨を通知する。例えば、後述する録画開始時刻ＴＲｓからの経過時間、録画終了時刻ＴＲｆからの経過時間の経過を検出し、録画部１１Ｅに、検出結果を引き渡す。
録画部１１Ｅは、タイマ部１１Ｄから録画開始時刻ＴＲｓの経過を通知されると、チューナ１４が受信するコンテンツを録画して、記憶部１２への記憶を開始する。また、録画終了時刻ＴＲｆが経過するとコンテンツの録画を停止する。
【００２８】
有効時間情報生成部１１Ｆは、録画部１１Ｅが録画するコンテンツのデータＣｃの内で正常に再生できる領域の時刻を示す有効時間情報Ｅｃを生成する。有効時間情報Ｅｃは、i）コンテンツ識別情報Ｉｃ、ii）複数の有効再生可能時間情報ＴＥｃ、を含む。
コンテンツ識別情報Ｉｃは、録画予約情報Ｒｓ及びダイジェスト情報Ｄに含まれるコンテンツ識別情報と同様に、コンテンツを識別するための識別子である。
有効再生可能時間情報ＴＥｃは、データ破損や受信状況の悪化等の影響がない正常に再生できるコンテンツＣｃの領域の始点と終点の時刻をそれぞれ示す、有効再生開始時刻ＴＥｃｓ、有効再生停止時刻ＴＥｃｆ、である。
【００２９】
コンテンツ判別部１１Ｇは、サーバ２から送信されるダイジェスト情報Ｄのコンテンツ識別情報Ｉｓと、有効時間情報生成部１１Ｆが生成する有効時間情報Ｅｃのコンテンツ識別情報Ｉｃを照合し、両方のコンテンツ識別情報がともに合致すれば、サーバ２で録画したコンテンツＣｓと携帯電話装置１で録画したコンテンツＣｃが同じコンテンツであると判別する。
【００３０】
同期情報生成部１１Ｈは、有効時間情報生成部１１Ｆが生成した有効時間情報Ｅｃと、ii）ダイジェスト情報受信手段１１が受信したダイジェスト情報Ｄを照合し、照合結果に応じて両データを合併させ、後述する同期情報Ｓを生成する。
【００３１】
再生部１１Ｉは、コンテンツのダイジェストＤを再生するよう、同期情報生成部１１Ｈが生成した同期情報Ｓの指示する時刻を参照して、i）記憶部１２内のコンテンツＣｃにて、同期情報Ｓが指示する時刻に該当する部分のデータを読み出し、ii）該当部分のデータに含まれる画像データ信号を表示部１６に出力して映像を出力させるとともに、iii）該当部分のデータに含まれる音声信号を出力して、ＤＡＣ１７を介し、スピーカ１８に音声を出力させる。
【００３２】
これにより、携帯電話装置１は、ユーザが入力した録画予約に基づき、録画予約情報Ｒｃを生成し、録画予約情報Ｒｃをサーバ２に送信する。また、録画開始時刻ＴＲｓに達すると、チューナが受信する番組を録画して、コンテンツＣｃを記憶部１２に格納する。
録画終了時刻ＴＲｆが経過してコンテンツＣＴの録画を完了すると、有効時間情報Ｅｃを生成し、サーバ２から送信されるダイジェスト情報Ｄと照合して、同期情報Ｓを生成し、同期情報Ｓに従ってコンテンツのダイジェストＤを再生する。
【００３３】
次に、サーバ２の制御部２１が備える各構成要素について、詳細に説明する。
通信制御部２１Ａは、通信部２３を制御して、携帯電話装置１が送信した録画予約情報Ｒｃを受信させる。通信制御部２１Ａは、通信部２３を制御して、ダイジェスト情報生成部２１Ｇが生成したダイジェスト情報Ｄを、携帯電話装置１に送信する。
予約一覧登録部２１Ｂは、通信部２２が受信した録画予約情報Ｒｃを、記憶部２２内の録画予約一覧ＴＢｓに書き込む。
タイマ部２１Ｃは、ある時刻からの経過時間を計時して、経過時間が所定の時間に達したときにその旨を通知する。録画開始時刻ＴＲｓからの経過時間、録画終了時刻ＴＲｆからの経過時間の経過を検出し、コンテンツ１１に、検出結果を引き渡す。
録画部２１Ｄは、タイマ部２１Ｃから録画開始時刻ＴＲｓの経過を通知されると、チューナ２４が受信するコンテンツを録画して、記憶部２２へのコンテンツＣｓの記憶を開始する。また、録画終了時刻ＴＲｆが経過すると、コンテンツの録画を停止する。
有効時間情報生成部２１Ｅは、録画部２１Ｄが録画するコンテンツＣｓの内の正常に再生可能な時刻の情報を示す有効時間情報Ｅｓを生成する。
【００３４】
ダイジェスト情報生成部２１Ｆは、コンテンツＣｓに含まれる音声・映像・字幕・メタ情報を解析し、その解析結果と有効時間情報生成部２１Ｅが生成した有効時間情報Ｅｓからダイジェスト情報Ｄを生成する。
ダイジェスト情報Ｄは、コンテンツＣｓ全体をいくつかの時間毎のコンテンツのデータに細分するための情報であり、i）コンテンツ識別情報Ｉｓ、ii）複数のプレゼン情報Ｐｓ、を含む。
ダイジェスト情報Ｄのコンテンツ識別情報Ｉｓは、録画予約情報Ｒｃのコンテンツ識別情報Ｉｃと同様の情報である。
プレゼン情報Ｐは、再生開始時刻ＴＰｓと再生終了時刻ＴＰｆの間の期間、コンテンツＣＴのデータを再生することを表すプレゼンテーションのための指示情報である。携帯電話装置１の再生部１１Ｉは、プレゼン情報Ｐｓを用いてコンテンツＣｃ全体をいくつかの時間ごとのコンテンツに細分し、細分されたコンテンツを再生する。
【００３５】
また、サーバ２で生成されるダイジェスト情報Ｄは、携帯電話装置１で生成される同期情報Ｓと同一のデータ構造を有する。同期情報Ｓは、通信部１２で受信したコンテンツＣｃと、通信部２３で受信したコンテンツＣｓの双方において、正常に再生できる領域を示す情報である。同期情報Ｓは、コンテンツＣｃ全体内において、データが破損している領域や、受信状況の悪化等の理由により画質が低下し正常な再生が困難な領域、を示す有効時間情報Ｅｃを用いて生成される。
【００３６】
これにより、サーバ２は、携帯電話装置１から受信した録画予約情報Ｒｃに基づきコンテンツＣｓを記憶部２２に記憶し、コンテンツＣｓを解析してダイジェスト情報Ｄを生成し、携帯電話装置１に送信する。
【００３７】
次に、ユーザがコンテンツの録画を予約してから、録画したコンテンツのダイジェストを視聴するまでの、携帯電話装置１とサーバ２の動作を、図５のフローチャートを参照して説明する。
【００３８】
携帯電話装置１の動作の特徴は、ユーザが生成した録画予約情報Ｒｃをサーバ２に送信し、サーバ２が生成したダイジェスト情報Ｄを受信して、そのダイジェストを再生する点にある。
また、サーバ２の動作の特徴は、携帯電話装置１から受信した録画予約情報Ｒｓに従ってコンテンツＣｓを録画し、コンテンツＣｓからダイジェスト情報Ｄを生成して、携帯電話装置１に送信する点にある。
【００３９】
携帯電話装置１のフローチャートは、図５に示すように、ユーザが操作部１５を操作し、コンテンツの録画予約を入力することにより起動される。
ユーザが録画予約を入力すると、先ず、録画情報生成部１１Ａは録画予約情報Ｒｃを生成する（ステップＡ１）。録画情報登録部１１Ｂは、録画予約情報Ｒｃを録画予約一覧ＴＢｃに登録する（ステップＡ２）。
通信制御部１１Ｃは通信部１２を制御して、録画予約情報Ｒｃをサーバ２に送信する（ステップＡ３）。
タイマ部１１Ｄは、時計を参照して、録画開始時刻ＴＲｓに達したか否かを判別する（ステップＡ４）。録画開始時刻ＴＲｓでなければ（ステップＡ４でＮＯ）、録画部１１Ｅは録画開始時刻ＴＲｓになるまで処理を待機する。
録画開始時刻ＴＲｓであれば（ステップＡ４でＹＥＳ）、録画部１１Ｅはチューナ１４が受信するコンテンツの録画を開始する（ステップＡ５）。ステップＡ５では、コンテンツＣＴの画質が低下した時間を除く時間を有効再生可能時間情報ＴＥｃとして生成し、有効時間情報Ｅｃに登録すると共にコンテンツを識別するコンテンツ識別情報Ｉｃをコンテンツ識別情報Ｉｓにも格納する（ステップＡ６）。その後、コンテンツＣｃ、有効時間情報Ｅｃを記憶部１２に保存する（ステップＡ７）。
その後、録画部１１Ｅは、録画終了時刻Ｔｒｓに達するまでコンテンツを録画する。録画終了時刻Ｔｒｓが経過すると、録画部１１Ｅは録画を停止して、通信制御部１１Ｃは、サーバ２がダイジェスト情報Ｄを生成し、携帯電話装置１宛に送信するまで待機する。
【００４０】
ダイジェスト情報Ｄがサーバ２から送信されると、通信部１３はダイジェスト情報Ｄを受信して（ステップＡ８）、コンテンツ判別部１１Ｇは、録画したコンテンツＣｃに含まれるコンテンツ識別情報Ｉｃと、サーバ２から受信したダイジェスト情報Ｄのコンテンツ識別情報Ｉｓを照合し、コンテンツが同一か否かを判別する。異なるコンテンツであれば（ステップＡ９でＮＯ）、制御部１１は処理を終了させ、ユーザが次の録画予約をするまで待機する。
【００４１】
同一のコンテンツであれば（ステップＡ９でＹＥＳ）、同期情報生成部１１Ｈは、ダイジェスト情報Ｄと有効時間情報Ｅｃから同期情報Ｓを生成する。再生部１１Ｉは、同期情報Ｓに従って、コンテンツＣｃの映像信号を表示部１６に出力し、かつコンテンツＣｃの音声信号をＤＡＣ１７に出力して、スピーカ１８からオーディオサウンドを出力させ、ダイジェストを再生する（ステップＡ１１）。ダイジェストの再生を完了したら、制御部１１は、ユーザが次の録画予約を行うまで待機する。
【００４２】
一方、サーバ２のフローチャートは、携帯電話装置１によって送信された録画予約情報Ｒｃを、サーバ２が受信することにより起動される。
図５において、サーバ２のフローの処理が起動されると、先ず、通信制御部２１Ａは、通信部２３を制御して録画予約情報Ｒｃを受信させる。予約一覧登録部２１Ｂは、受信した録画予約情報Ｒｃを録画予約一覧ＴＢｓに登録する（ステップＢ１）。
【００４３】
タイマ部１１Ｄは、時計を参照して、録画開始時刻ＴＲｓに達したか否かを判別する（ステップＡ４）。録画開始時刻ＴＲｓでなければ（ステップＡ４でＮＯ）、録画部１１Ｅは録画開始時刻ＴＲｓになるまで処理を待機する。
録画開始時刻ＴＲｓであれば（ステップＢ２でＹＥＳ）、録画部１１Ｅは、チューナ２４が受信するコンテンツの録画を開始して、記憶部２２にコンテンツＣｓを記憶する（ステップＢ３）。
コンテンツＣｓの画質が低下した時間を除く時間を有効再生可能時間情報ＴＥｓとして生成し、有効時間情報Ｅｓに登録すると共にコンテンツを識別するための、録画予約情報Ｒｓのコンテンツ識別情報Ｉｃを、有効時間情報Ｅｓのコンテンツ識別情報Ｉｓにも格納する（ステップＢ４）。その後、コンテンツＣｓ、有効時間情報Ｅｓ、を記憶部２３に保存する（ステップＢ５）。
【００４４】
録画終了時刻ＴＲｆが経過すると、ダイジェスト情報生成部２１Ｆは、録画されたコンテンツＣｓに含まれる音声、映像、字幕、メタ情報を取得してコンテンツの特徴を解析し、コンテンツの盛り上がった部分のコンテンツＣｓを抽出する。
ダイジェスト情報生成部２１Ｆは、盛り上がりが開始した時刻を再生開始時刻ＴＰｓ、盛り上がりが終了した時刻ＴＰｆを再生停止時刻として、プレゼン情報Ｐを生成する。なお、コンテンツの盛り上がった部分が複数あれば、複数のプレゼン情報Ｐｓを生成してダイジェスト情報Ｄに登録する。また、コンテンツ識別情報Ｉｃを、ダイジェスト情報Ｄのコンテンツ識別情報ＣＴｓとして登録する（ステップＢ６）。
これにより、コンテンツに対するダイジェスト情報Ｄを生成できる。
【００４５】
次に、ダイジェスト情報Ｄと有効時間情報Ｅｓを照合し、双方に共通する有効再生可能時間を抽出してから、抽出した時間情報を改めてダイジェスト情報Ｄとして登録する（ステップＢ７）。
その後、制御部２１は通信部２３を制御して、再度登録したダイジェスト情報Ｄを携帯電話装置１に送信させる（ステップＢ８）。制御部２１は、次の録画予約情報Ｒｃが携帯電話装置１から送信されるまで、処理を待機する。
【００４６】
これにより、i）携帯電話装置１とサーバ２双方で同一のコンテンツを録画する機能、ii）サーバ２が録画したコンテンツＣｓのダイジェスト情報Ｄを生成して、携帯電話装置１に送信する機能、iii）ダイジェスト情報Ｄのコンテンツ識別情報Ｉｓと、有効時間情報Ｅｃのコンテンツ識別情報Ｉｃと、から同一のコンテンツか否かを判別して、判別結果に応じて同期情報Ｓを生成する機能、iv）同期情報Ｓに従い、コンテンツのダイジェストを再生する機能、を実現する。
【００４７】
次に、図６のフローチャートを参照して、同期情報Ｓを生成するときの携帯電話装置１の動作について説明する。
【００４８】
携帯電話装置１が同期情報Ｓを生成するときのフローチャートは、サーバ２から送信されたダイジェスト情報Ｄに含まれるコンテンツ識別情報Ｉｓが、記憶部１２に格納されているコンテンツＣｃのコンテンツ識別情報Ｉｃと同一と判別されることにより起動される。
【００４９】
図６のフローの処理が起動されると、先ず、制御部１１は同期情報Ｓを格納するためのメモリ領域を確保する（ステップＣ１）。有効時間情報Ｅｃから有効再生可能時間情報ＴＥｃｓを取得する（ステップＣ２）。ついで、ダイジェスト情報Ｄからプレゼン情報Ｐｓを取得し（ステップＣ３）、プレゼン情報Ｐｓから再生開始時刻ＴＰｓを取得する（ステップＣ４）。
【００５０】
サーバ２から取得した再生開始時刻ＴＰｓが、携帯電話装置１の有効再生可能時間情報ＴＥｃ内の、i）有効再生開始時刻ＴＥｃｓとii）有効再生終了時刻ＴＥｃｆの範囲内にあれば（ステップＣ５でＹＥＳ）、携帯電話装置１の同期情報Ｓ内のプレゼン情報Ｐｃの再生開始時刻ＴＰｃｓとして、サーバ２から取得した再生開始時刻ＴＰｓを登録し（ステップＣ６）、制御部１１は処理をステップＣ７に移す。
【００５１】
サーバ２から取得した再生開始時刻ＴＰｓが、携帯電話装置１の有効再生開始時刻ＴＥｃｓと有効再生終了時刻ＴＥｃｆの範囲内になければ（ステップＣ５でＮＯ）、制御部１１は、次の動作として同期情報Ｓの再生終了時刻を確定するために、サーバ２から受信したダイジェスト情報Ｄ内にあるプレゼン情報Ｐｓの再生終了時刻ＴＰｆを取得する（ステップＣ７）。
サーバ２の再生終了時刻ＴＰｆが、携帯電話装置１の有効再生可能時間情報ＴＥｃのi）有効再生開始時刻ＴＥｃｓとii）有効再生終了時刻ＴＥｃｆの範囲内にあるならば（ステップＣ８でＹＥＳ）、携帯電話装置１の同期情報Ｓ内のプレゼン情報Ｐｃの再生終了時刻ＴＰｃｆとして、サーバ２の再生終了時刻ＴＰｆを登録する（ステップＣ９）。
その後、制御部１１は、再生開始時刻ＴＰｓと再生終了時刻ＴＰｆの確定したプレゼン情報Ｐｃを同期情報Ｓに登録して（ステップＣ１０）、ステップＣ３へと処理を移す。
【００５２】
サーバ２の再生終了時刻ＴＰｆが、携帯電話装置１の有効再生可能時間情報ＴＥｃのi）有効再生開始時刻ＴＥｃｓとii）有効再生終了時刻ＴＥｃｆの範囲内でないならば（ステップＣ８でＮＯ）、制御部１１は処理をステップＣ１１に移す。
そして、制御部１１は、有効再生可能時間が終了したか否かを判別し（ステップＣ１１）、有効再生可能時間が終了していれば（ステップＣ１１でＹＥＳ）、携帯電話装置１の同期情報Ｓのプレゼン情報Ｐｃの再生終了時刻ＴＰｆとして、サーバ２のダイジェスト情報Ｄ内の再生終了時刻ＴＰｆを登録する（ステップＣ１２）。その後、制御部１１は、同期情報Ｓにプレゼン情報Ｐｃを追加して（ステップＣ１３）、処理をステップＣ３に移す。
【００５３】
有効再生可能時間が終了していなければ（ステップＣ１１でＮＯ）、サーバ２から受信したダイジェスト情報Ｄ内にまだ処理されていないプレゼン情報Ｐｓが残っているか否かを判別する（ステップＣ１４）。
ダイジェスト情報Ｄ内に未処理のプレゼン情報Ｐｓが残っており（ステップＣ１４でＮＯ）、かつ、携帯電話装置１にて生成された有効時間情報Ｅｃ内にもまだ処理されていない有効再生可能時間情報ＴＥｃが残っているならば（ステップＣ１５でＮＯ）、制御部１１はステップＣ２に処理を移し、同期情報Ｓの生成を継続する。
それ以外の場合には、制御部１１は同期情報Ｓの生成を終了し、携帯電話装置１における同期情報Ｓの生成処理は完了する。
【００５４】
次に、図７を参照して、ユーザが携帯電話装置１によりダイジェストを再生するときの動作について説明する。
【００５５】
携帯電話装置１にてダイジェストを再生するためのフローチャートは、コンテンツ判別部１１Ｇにより、携帯電話装置１のコンテンツ識別情報Ｉｃとサーバ２のダイジェスト情報Ｄのコンテンツ識別情報Ｉｓとが同一であると判別され、同期情報Ｓの生成が完了することにより起動される。
【００５６】
図７のフローの処理が起動されると、先ず、制御部１１はコンテンツＣｃを記憶部１２から読み出す（ステップＤ１）。次に、制御部１１は、図６のフローチャートにより生成した同期情報Ｓを取得し（ステップＤ２）、同期情報Ｓ内のプレゼン情報Ｐｃの再生開始時間ＴＰｃｓを読み込む（ステップＤ３、Ｄ４）。
その後、制御部１１は、再生開始時刻ＴＰｃｓに対応するコンテンツＣｃの領域をシークして（ステップＤ５）、シークにより検出した領域を起点として、コンテンツＣｃの画像データ信号を表示部１６に送信する処理を開始する。表示部１６は、受信した画像データ信号を変換し画面に出力することにより、ダイジェストの画像が再生される（ステップＤ６）。また、ダイジェストの音声は、制御部１１が、バス１９に音声出力信号を出力して、スピーカ１８がオーディオサウンドを放音することにより再生される（ステップＤ７）。
【００５７】
再生部は、コンテンツＣｃが同期情報Ｓのプレゼン情報Ｐｃの再生終了時刻Ｔｐｃｆの箇所に至るまで再生し（ステップＤ８）、再生停止時刻Ｔｐｃｆを経過したら（ステップＤ８でＹＥＳ）プレゼン情報Ｐｃの取得を試みる（ステップＤ９）。まだ再生処理がされていないプレゼン情報Ｐｃがあれば（ステップＤ９でＮＯ）、制御部１１は、処理をステップＤ３に移し、同期情報Ｓ内の次のプレゼン情報Ｐｃに従って、コンテンツの画像と音声の再生を継続する。再生処理が実行されていないプレゼン情報Ｐｃがなければ（ステップＤ９でＹＥＳ）、制御部１１はコンテンツのダイジェスト再生が完了したと判断して、再生処理を完了する。これにより、同期情報Ｓに従い、コンテンツが再生される。
【００５８】
本発明の概念は、携帯電話装置に限らず、例えば、通信機能付のＰＤＡ（Personal Digital
Assistants）、電子カメラ・電子腕時計・音楽再生機等の携帯型電子装置であっても同様に適用可能である。
【図面の簡単な説明】
【００５９】
【図１】携帯電話装置及びサーバを利用したダイジェスト視聴システムの全体構成を示したブロック図である。
【図２】開いた状態の携帯電話装置を正面から見た外観図である。
【図３】携帯電話装置及びサーバの物理構成要素及び論理的手段を図示した、ダイジェスト視聴システムの全体構成のブロック図である。
【図４】実施形態１、２において携帯電話装置及びサーバの記憶部内にあるデータ領域に格納される、データ構造を示したイメージ図である。
【図５】実施形態１における携帯電話装置の動作を示したフローチャートである。
【図６】実施形態１、２において、携帯電話装置が同期情報を生成する動作を示したフローチャートである。
【図７】実施形態１、２において、携帯電話装置がコンテンツのデータを再生する動作を示したフローチャートである。
【符号の説明】
【００６０】
１・・・携帯電話装置、１１・・・制御部、１１Ａ・・・録画情報生成部、１１Ｂ・・・録画情報登録部、１１Ｃ・・・通信制御部、１１Ｄ・・・タイマ部、１１Ｅ・・・録画部、１１Ｆ・・・有効時間情報生成部、１１Ｇ・・・コンテンツ判別部、１１Ｈ・・・同期情報生成部、１１Ｉ・・・再生部、１２・・・記憶部、１３・・・通信部、１３Ａ・・・アンテナ、１４・・・チューナ、１４Ａ・・・アンテナ、１５・・・操作部、１６・・・表示部、１７・・・ＤＡＣ、１８・・・スピーカ、１９・・・バス、２・・・サーバ、２１・・・制御部、２１Ａ・・・通信制御部、２１Ｂ・・・予約一覧登録部、２１Ｃ・・・タイマ部、２１Ｄ・・・録画部、２１Ｅ・・・有効時間情報生成部、２１Ｆ・・・ダイジェスト情報生成部、２２・・・記憶部、２３・・・通信部、２３Ａ・・・アンテナ、２４・・・チューナ、２４Ａ・・・アンテナ、２５・・・バス、３・・・移動体通信網、４・・・情報発信源
【図１】
2008092511.tif 000003
【図２】
2008092511.tif 000004
【図３】
2008092511.tif 000005
【図４】
2008092511.tif 000006
【図５】
2008092511.tif 000007
【図６】
2008092511.tif 000008
【図７】
2008092511.tif 000009